(57)【要約】【課題】コンテンツ毎に、ユーザの嗜好に合う度合いを算出する移動通信端末装置を提供する。【解決手段】コンテンツ優先度算出部３１は、コンテンツに係る情報であるコンテンツ情報２１ａ、コンテンツを送信した者に係る情報である送信者情報２２ａ、装置のユーザに係る情報であるユーザ情報２３ａ及び装置に係る情報である端末装置情報２４ａの一部または全部に基づいて、コンテンツの優先度、即ち、ユーザの嗜好に合う度合いを算出する。この算出にあたり、予め与えられている関数、統計的判別手法及び遺伝的アルゴリズムの一部または全部が用いられる。そして、選択コンテンツ処理部３３は、例えば、高い優先度が得られたコンテンツをコンテンツ受信部１８に受信させて、またはコンテンツ情報記憶部２１から読み出して、再生する。【選択図】図１
2008124834.tif 000002
【特許請求の範囲】
【請求項１】
コンテンツ及び／またはそのコンテンツに関する情報を受信する受信手段と、
前記受信手段によって受信されたコンテンツ及び／またはそのコンテンツに関する情報と、そのコンテンツが所定の条件を満たすか否かとを記憶する記憶手段と、
前記記憶手段に所定の条件を満たすと記憶されたコンテンツに関する情報と類似のコンテンツに関する情報を持つコンテンツを選択するコンテンツ選択手段と、
前記コンテンツ選択手段によって選択されたコンテンツが前記記憶手段に記憶されていない場合、そのコンテンツを前記受信手段を制御して受信させ、前記記憶手段に記憶された、または前記受信手段によって受信された、前記選択されたコンテンツを再生するコンテンツ再生手段とを有する
ことを特徴とする移動通信端末装置。
【請求項２】
コンテンツ及び／またはそのコンテンツに関する情報を受信する受信手段と、
前記受信手段によって受信されたコンテンツ及び／またはそのコンテンツに関する情報を記憶する記憶手段と、
前記記憶手段に記憶されたコンテンツに関する情報と、自装置の仕様とから、自装置で再生可能である前記コンテンツを選択するコンテンツ選択手段と、
前記コンテンツ選択手段によって選択されたコンテンツが前記記憶手段に記憶されていない場合、そのコンテンツを前記受信手段を制御して受信させ、前記記憶手段に記憶された、または前記受信手段によって受信された、前記選択されたコンテンツを再生するコンテンツ再生手段とを有する
ことを特徴とする移動通信端末装置。
【請求項３】
コンテンツ及び／またはそのコンテンツに関する情報を受信する受信手段と、
前記受信手段によって受信されたコンテンツ及び／またはそのコンテンツに関する情報と、そのコンテンツが所定の条件を満たすか否かとを記憶する記憶手段と、
前記記憶手段に記憶されたコンテンツに関する情報からそのコンテンツが前記所定の条件を満たす度合いを算出する関数のパラメータであって、そのパラメータを用いて前記関数を適用すると、前記記憶手段に記憶されたそのコンテンツが前記所定の条件を満たすか否かと等しい結果を得られることを評価値として、遺伝的アルゴリズムによって前記パラメータを決定するパラメータ決定手段と、
前記パラメータ決定手段によって決定されたパラメータを用いて前記関数を適用して前記コンテンツが前記所定の条件を満たす度合いを算出する度合い算出手段と、
前記度合い算出手段によって高い度合いが算出された前記コンテンツが前記記憶手段に記憶されていない場合、そのコンテンツを前記受信手段を制御して受信させ、前記記憶手段に記憶された、または前記受信手段によって受信された、前記高い度合いが算出されたコンテンツを再生するコンテンツ再生手段とを有する
ことを特徴とする移動通信端末装置。
【請求項４】
前記記憶手段に所定の条件を満たすと記憶されたコンテンツに関する情報と、前記コンテンツに関する情報との類似度を示す評価値を、あらかじめ与えられている関数によって、及び／または、統計的判別手法によって決定する評価パラメータ決定手段を更に有し、
前記コンテンツ選択手段は、前記評価パラメータ決定手段によって決定された評価値を参照して前記コンテンツを選択する
ことを特徴とする請求項１に記載の移動通信端末装置。
【請求項５】
前記記憶手段に記憶されたコンテンツに関する情報と、自装置の仕様とから、そのコンテンツの自装置における再生可能性を示す評価値を、あらかじめ与えられている関数によって、及び／または、統計的判別手法によって決定する評価パラメータ決定手段を更に有し、
前記コンテンツ選択手段は、前記評価パラメータ決定手段によって決定された評価値を参照して前記コンテンツを選択する
ことを特徴とする請求項２に記載の移動通信端末装置。
【請求項６】
入力手段と、
表示手段とを更に有し、
前記コンテンツ再生手段は、前記評価パラメータ決定手段によって高い評価値が決定された前記コンテンツに関する情報を、その評価値が高い順に前記表示手段に表示させ、または、前記度合い算出手段によって高い度合いが算出された前記コンテンツに関する情報を、その度合いが高い順に前記表示手段に表示させ、その表示されたコンテンツに関する情報が前記入力手段からの入力によって選択された場合、その選択された情報を持つコンテンツを再生する
ことを特徴とする請求項３ないし請求項５のいずれか１項に記載の移動通信端末装置。
【請求項７】
前記コンテンツは、符号化されており、
前記コンテンツ再生手段は、前記符号化されたコンテンツを復号して再生し、
前記コンテンツに関する情報は、そのコンテンツが符号化された際の符号化方式である
ことを特徴とする請求項１ないし請求項３のいずれか１項に記載の移動通信端末装置。
【請求項８】
表示手段を更に有し、
前記コンテンツは、前記表示手段に表示される映像情報を含み、
前記コンテンツに関する情報は、そのコンテンツに含まれる映像の表示に望まれる画面解像度である
ことを特徴とする請求項１ないし請求項３のいずれか１項に記載の移動通信端末装置。
【発明の詳細な説明】
【技術分野】
【０００１】
本発明は、移動通信端末装置に係り、特に、装置のユーザが嗜好するコンテンツを選択する処理に関する。
【背景技術】
【０００２】
移動通信端末装置は、種々の方法によってコンテンツを受信することが知られている。即ち、移動体通信網を介した配信、テレビ放送及びラジオ放送の受信、パソコンに記憶されたコンテンツの複写、などである。そして、ユーザは、受信されたコンテンツを記憶させ、記憶されたコンテンツの中から嗜好するコンテンツを選択して視聴する。または、ユーザは、コンテンツを記憶させることなく、嗜好するコンテンツを受信しつつ再生させる。
【０００３】
しかし、多種の方法によって受信されるコンテンツは、多数に及び、更に多様である。そこで、ユーザは、嗜好するコンテンツを選択するために困難を感じることがある。例えば、移動通信端末装置の記憶部の記憶容量には限りがあるので、多数のコンテンツを記憶することができない。即ち、試みに視聴するために多数のコンテンツを記憶させておくことはできない。また、嗜好のコンテンツが何時、どの放送局から放送されるかを完全に把握することは困難である。
【０００４】
また、記憶部に記憶されたコンテンツの名称の一覧を装置の表示部に表示し、表示された名称を参照して選択する場合、移動通信端末装置の表示部の表示画面は必ずしも大きくなく、多数の名称の一覧を表示することができない。そのため、表示された一覧のスクロールを多用しなければならず、多数の操作が必要となる。
【０００５】
そこで、コンテンツを送信するサーバ装置は、ユーザの嗜好に合わせたコンテンツの先頭部分を端末装置に送信し、端末装置は、ユーザがコンテンツの視聴を開始すると、上記先頭部分の再生を開始し、同時に、そのコンテンツの送信をサーバ装置に要求する処理が知られている。この処理によれば、記憶部の記憶容量に限りがありながら、ユーザにとっては、その記憶容量を超える容量のコンテンツが記憶されているように感じられる（例えば、特許文献１参照。）。
【特許文献１】特開２００５−１３５００８号公報（第２−３頁、図１）
【発明の開示】
【発明が解決しようとする課題】
【０００６】
しかしながら、上述した特許文献１に開示されている手法では、たとえ先頭部分のみとはいえ、多数のコンテンツを記憶する必要があり、大きい記憶容量の記憶部を必要とする問題点があった。また、サーバ装置からの配信によらずに受信される嗜好に合ったコンテンツを選択することには適用できない問題点があった。
【０００７】
本発明は上記問題点を解決するためになされたもので、コンテンツ毎に、ユーザの嗜好に合う度合いを算出する移動通信端末装置を提供することを目的とする。
【課題を解決するための手段】
【０００８】
上記目的を達成するために、本発明に係る移動通信端末装置は、コンテンツ及び／またはそのコンテンツに関する情報を受信する受信手段と、前記受信手段によって受信されたコンテンツ及び／またはそのコンテンツに関する情報と、そのコンテンツが所定の条件を満たすか否かとを記憶する記憶手段と、前記記憶手段に所定の条件を満たすと記憶されたコンテンツに関する情報と類似のコンテンツに関する情報を持つコンテンツを選択するコンテンツ選択手段と、前記コンテンツ選択手段によって選択されたコンテンツが前記記憶手段に記憶されていない場合、そのコンテンツを前記受信手段を制御して受信させ、前記記憶手段に記憶された、または前記受信手段によって受信された、前記選択されたコンテンツを再生するコンテンツ再生手段とを有することを特徴とする。
【発明の効果】
【０００９】
本発明によれば、コンテンツ毎に、ユーザの嗜好に合う度合いを算出する移動通信端末装置を提供する移動通信端末装置を提供することができる。
【発明を実施するための最良の形態】
【００１０】
以下に、本発明による移動通信端末装置の実施の形態を、図面を参照して説明する。図１は、本発明の実施形態に係る移動通信端末装置の構成を示すブロック図である。
【００１１】
この移動通信端末装置は、装置全体の制御を行う制御部１１と、移動通信網を介した通信を行うために基地局（図示せず）との間で電波の送受信を行うアンテナ１２ａと、通信部１２ｂと、送受信部１３と、受話用のスピーカ１４ａと、送話用のマイクロフォン１４ｂと、通話部１４ｃと、表示部１５と、入力装置１６と、コネクタ部１７と、コンテンツ受信部１８と、コンテンツ情報記憶部２１と、送信者情報記憶部２２と、ユーザ情報記憶部２３と、端末装置情報記憶部２４と、コンテンツ優先度算出部３１と、コンテンツ選択部３２と、選択コンテンツ処理部３３とからなる。
【００１２】
ここで、少なくとも制御部１１の一部と、コンテンツ受信部１８と、コンテンツ優先度算出部３１と、コンテンツ選択部３２と、選択コンテンツ処理部３３とは、コンピュータと、そのコンピュータで利用されるプログラムとからなるが、これに限るものではない。
【００１３】
コンテンツ情報記憶部２１には、コンテンツ情報２１ａが記憶される。送信者情報記憶部２２には、送信者情報２２ａが記憶される。ユーザ情報記憶部２３には、ユーザ情報２３ａが記憶される。端末装置情報記憶部２４には、端末装置情報２４ａが記憶される。
【００１４】
図２は、コンテンツ情報記憶部２１に記憶されるコンテンツ情報２１ａの構成の一例を示す。このコンテンツ情報２１ａは、コンテンツ識別子２１ｂと、コンテンツ名称２１ｃと、製作者２１ｄと、権利情報２１ｅと、価格２１ｆと、ジャンル２１ｇと、視聴ユーザ制限２１ｈと、視聴時間２１ｉと、データサイズ２１ｊと、関連コンテンツ情報２１ｋと、解像度２１ｍと、フォーマット２１ｎと、送信者２１ｏと、コンテンツ２１ｐと、視聴２１ｑとが関連付けられた情報からなり、コンテンツ及びそのコンテンツに関する情報である。
【００１５】
コンテンツ識別子２１ｂは、関連付けられた情報であるコンテンツ情報２１ａを一意に識別する情報である。コンテンツ名称２１ｃは、コンテンツ２１ｐの名称である。製作者２１ｄは、コンテンツ２１ｐを製作した者、団体または会社名などである。また、コンテンツ２１ｐが音楽である場合、演奏者、歌手、楽団名などでも良い。
【００１６】
権利情報２１ｅは、コンテンツ２１ｐの使用についての制限事項であり、例えば、制限なくコピーを作成することができる場合、「コピー可」が記憶される。このようなコピーの可不可の他、コピーが許される回数が指定された場合、その指定された回数が記憶される。更には、コンテンツ２１ｐの視聴が許される回数が指定された場合、その指定された回数が記憶される。
【００１７】
価格２１ｆは、コンテンツ２１ｐを受信する際に支払った、または支払う金額である。または、コンテンツ２１ｐを視聴する度に支払う金額である。ジャンル２１ｇは、コンテンツ２１ｐの属するジャンルである。視聴ユーザ制限２１ｈは、コンテンツ２１ｐを視聴するユーザに求められる制限である。例えば、所定の年齢以上のユーザに限って、コンテンツ２１ｐの視聴が許されるなどである。
【００１８】
視聴時間２１ｉは、コンテンツ２１ｐを視聴するのに必要な時間である。データサイズ２１ｊは、コンテンツ２１ｐを記憶する際に必要な記憶容量である。関連コンテンツ情報２１ｋは、コンテンツ２１ｐに関連し、コンテンツ２１ｐとは異なるコンテンツの名称である。図２に示す例では、コンテンツ名称２１ｃが「ＡＡＡ−１」であるコンテンツ２１ｐは、連続して放送される番組の１回目であり、その番組の２回目のコンテンツの名称である「ＡＡＡ−２」が関連コンテンツ情報２１ｋに記憶されている。
【００１９】
解像度２１ｍは、コンテンツ２１ｐが映像を含むコンテンツである場合に意味を持ち、コンテンツ２１ｐの映像を良好な画質で表示するために必要な表示部１５の画面解像度である。または、コンテンツ２１ｐの映像を想定された通りの大きさで表示するために必要な表示部１５の画面解像度である。
【００２０】
フォーマット２１ｎは、コンテンツ２１ｐが符号化された情報である場合、その符号化の方式である。即ち、動画像及び音声からなるコンテンツ２１ｐであれば、フォーマット２１ｎは、「ＭＰＥＧ２」、「ＭＰＥＧ４」、「Ｈ．２６４」など、音声からなるコンテンツ２１ｐであれば、「ＡＡＣ」、「ＭＰ３」、「ＡＭＲ」など、また、静止画からなるコンテンツ２１ｐであれば、「ＪＰＥＧ」、「ＧＩＦ」、「ＰＮＧ」などであるが、これらに限るものではない。
【００２１】
送信者２１ｏは、装置がコンテンツ２１ｐを受信した、または、受信する際に、コンテンツ２１ｐを送信した、または、送信する装置を識別する情報である。コンテンツ２１ｐが放送局（図示せず）から放送されたものであれば、それを放送した放送局名、コンテンツ２１ｐがコンテンツサーバ装置（図示せず）から送信されたものであれば、そのコンテンツサーバ装置を識別する名称、コンテンツ２１ｐがパソコン（図示せず）から読み出されたものであれば、そのパソコンを識別する名称などである。
【００２２】
コンテンツ２１ｐは、映像及び／または音声からなるコンテンツである。なお、コンテンツ２１ｐは、コンテンツ情報２１ａとは別のファイルとして記憶されるとしても良い。視聴２１ｑは、コンテンツ２１ｐがユーザによって視聴されたものであるか、視聴されていないものであるかを示す情報である。図２に示す例では、「済」によって、既に視聴されたものであることを示す。一方、「未」によって、まだ視聴されていないことを示す。
【００２３】
コンテンツ情報２１ａは、上記説明した情報が関連づけられてなり、後述するように、コンテンツ受信部１８がコンテンツと、そのコンテンツに関する情報を受信して、コンテンツ情報記憶部２１に記憶させたものである。
【００２４】
ただし、コンテンツ識別子２１ｂは、適宜作成された情報である。また、視聴２１ｑは、コンテンツ受信部１８がコンテンツと、そのコンテンツに関する情報を受信した際には、未視聴を示す「未」が記憶され、選択コンテンツ処理部３３がコンテンツ２１ｐを再生する際に、「未」から視聴済みを示す「済」に更新記憶される。
【００２５】
なお、上記説明した情報は、全てが記憶されると限るものではない。例えば、そのコンテンツに関する情報の一部が受信されない場合、受信された情報のみが記憶させる。また、コンテンツ受信部１８は、ユーザが選局しない放送局から放送されたコンテンツに関する情報を受信して記憶させ、コンテンツ２１ｐは記憶させず、視聴２１ｑには、未視聴を示す「未」を記憶させても良い。
【００２６】
各放送局から放送されるコンテンツ、即ち、番組に関する情報は、電子番組表として、全ての放送局から放送されている。また、インターネットを介して受信しても良く、テレビ放送を受信不可能なコンテンツ受信部１８であっても、各放送局から放送されるコンテンツに関する情報を記憶させることができる。
【００２７】
また、コンテンツ受信部１８は、コンテンツサーバ装置からコンテンツに関する情報が送信され、それらのコンテンツの中でユーザが受信の指示を行わなかったコンテンツについて、それらのコンテンツに関する情報を受信して記憶させ、コンテンツ２１ｐは記憶させず、視聴２１ｑには、未視聴を示す「未」を記憶させても良い。
【００２８】
図３は、送信者情報記憶部２２に記憶される送信者情報２２ａの構成の一例を示す。この送信者情報２２ａは、送信者識別子２２ｂと、送信者２２ｃと、送信元ＩＰアドレス２２ｄと、位置２２ｅと、所持するコンテンツ２２ｆとが関連付けられた情報からなり、コンテンツ送信者に関する情報である。
【００２９】
送信者識別子２２ｂは、関連付けられた情報である送信者情報２２ａを一意に識別する情報である。送信者２２ｃは、コンテンツを送信する装置の識別子であって、コンテンツサーバ装置の名称、放送局の名称、パソコンを識別する名称などである。
【００３０】
送信元ＩＰアドレス２２ｄは、送信者２２ｃがＩＰプロトコルによって接続された装置である場合、その装置のＩＰアドレスである。また、送信者２２ｃが放送局名である場合、その放送局のチャンネル番号である。
【００３１】
位置２２ｅは、送信者２２ｃが放送局名である場合、その放送局が設置された位置を示す情報であり、地域名、国名などである。所持するコンテンツ２２ｆは、送信者２２ｃが所持するコンテンツの名称である。このコンテンツの名称は、コンテンツ情報２１ａに含まれていないコンテンツの名称に限っても良い。
【００３２】
送信者情報２２ａは、送信者２２ｃがコンテンツサーバ装置の名称である場合、コンテンツサーバ装置から送信された情報に基づいて、また、送信者２２ｃが放送局の名称である場合、放送局から送信された情報に基づいて、コンテンツ受信部１８によって記憶される。
【００３３】
更に、送信者情報２２ａは、送信者２２ｃがパソコンを識別する名称である場合、パソコンから送信された情報と、コンテンツ受信部１８がそのパソコンとの通信を行う際に使われた情報、例えば、送信元ＩＰアドレス２２ｄとに基づいて、コンテンツ受信部１８によって記憶される。なお、いずれの場合にあっても、送信者識別子２２ｂは、適宜作成された情報である。
【００３４】
図４は、ユーザ情報記憶部２３に記憶されるユーザ情報２３ａの構成の一例を示す。このユーザ情報２３ａは、年齢２３ｂと、性別２３ｃと、住所２３ｄと、契約情報２３ｅと、課金情報２３ｆと、興味分野２３ｇと、類似ユーザの視聴コンテンツ２３ｈとが関連付けられた情報からなり、装置のユーザに関する情報である。
【００３５】
年齢２３ｂは、ユーザの年齢であるが、これに限るものではない。例えば、生年月日が記憶されるとし、年齢は、その生年月日と、装置が動作している際の年月日とから算出されるとしても良い。性別２３ｃは、ユーザの性別である。住所２３ｄは、ユーザが居住する住所であるが、必ずしも１ヶ所に限るものではない。
【００３６】
契約情報２３ｅは、ユーザが移動通信網を運営する通信事業者との間で取り交わした契約に関する情報であり、例えば、契約のタイプである。このタイプとは、月額基本料金と、１月あたりの無料通信時分と、無料通信時分を超えた通信の料金算定式などからなる。
【００３７】
課金情報２３ｆは、ユーザが上記通信事業者に支払うべき金額であって、通信の度に、また、支払いの度に更新される情報である。興味分野２３ｇは、ユーザが興味を持つコンテンツの分野であって、コンテンツ情報２１ａのジャンル２１ｇと同じ情報が記憶される。類似ユーザの視聴コンテンツ２３ｈは、装置のユーザに類似した他の者が視聴したコンテンツの名称である。
【００３８】
なお、年齢２３ｂと、性別２３ｃと、住所２３ｄと、契約情報２３ｅとは、ユーザが移動通信網を運営する通信事業者との間で契約を取り交わした際に、その事業者またはその事業者の代理人の操作によって記憶される。課金情報２３ｆは、ユーザが装置を使用する度に、制御部１１が算出した使用料金、または、通信事業者の課金管理装置（図示せず）からの通知に基づいて、制御部１１が更新記憶させる。更に、ユーザが支払いをする度に、通信事業者の課金管理装置からの通知に基づいて、制御部１１が更新記憶させる。
【００３９】
興味分野２３ｇは、ユーザによる入力装置１６の所定のキー操作に基づいて、コンテンツ優先度算出部３１が新規記憶、または更新記憶させる。類似ユーザの視聴コンテンツ２３ｈは、コンテンツ受信部１８がコンテンツサーバ装置から送信された情報を受信して、その受信された情報を記憶させる。
【００４０】
即ち、ユーザがコンテンツサーバ装置にコンテンツの送信を要求すると、そのコンテンツサーバ装置は、そのコンテンツの送信を要求した他のユーザまたは装置が過去に送信を要求したコンテンツを検索し、その検索されたコンテンツの名称をこの装置に送信する。類似ユーザの視聴コンテンツ２３ｈは、その送信されたコンテンツの名称である。
【００４１】
図５は、端末装置情報記憶部２４に記憶される端末装置情報２４ａの構成の一例を示す。この端末装置情報２４ａは、機種名２４ｂと、処理速度２４ｃと、主記憶容量２４ｄと、外部記憶容量２４ｅと、画面解像度２４ｆと、対応フォーマット２４ｇと、対応ネットワーク２４ｈと、製造年月２４ｉとが関連付けられた情報からなり、本発明の実施形態に係る移動通信端末装置に関する情報である。
【００４２】
機種名２４ｂは、この装置の機種の名称である。処理速度２４ｃは、この装置に搭載されたコンピュータ（ＣＰＵ）の速度である。特に、後述するように、選択コンテンツ処理部３３がコンテンツを再生する速度としても良い。
【００４３】
主記憶容量２４ｄは、この装置に搭載されたコンピュータが有する主記憶部の記憶容量である。外部記憶容量２４ｅは、この装置に搭載された外部記憶部（図示せず）の記憶容量である。
【００４４】
画面解像度２４ｆは、表示部１５の画面の解像度である。後述するように、この画面解像度２４ｆは、コンテンツ情報２１ａの解像度２１ｍと対応して用いられ、コンテンツ２１ｐの解像度２１ｍの映像を望ましい表示状態で表示部１５に表示可能であるか不可能であるかの判断に用いられる。
【００４５】
対応フォーマット２４ｇは、映像信号及び音声信号を符号化する際の方式であって、選択コンテンツ処理部３３が復号することができる方式を示す情報である。対応ネットワーク２４ｈは、装置がコンテンツを受信するために用いることができる手段の一覧である。例えば、コネクタ部１７を有していれば、「コネクタ部」が、コンテンツ受信部１８がテレビ放送を受信可能であれば、「テレビチューナ」が記憶される。製造年月２４ｉは、この装置が製造された年月である。
【００４６】
なお、端末装置情報２４ａは、この装置が製造される過程で記憶される。しかし、製造の後、ハードウェアの更新またはプログラムのインストールがされた際には、更新記憶される。または、端末装置情報２４ａは、通信事業者が運営する端末装置管理装置（図示せず）に記憶され、この端末にダウンロードされるとしても良い。
【００４７】
上記のように構成された、本発明の実施形態に係る移動通信端末装置の各部の動作を、図１を参照して説明する。
【００４８】
通信部１２ｂは、アンテナ１２ａが受信した高周波信号を送受信部１３へ出力し、また、送受信部１３から出力される高周波信号をアンテナ１２ａより送信する。
【００４９】
送受信部１３は、通信部１２ｂからの高周波信号を増幅、周波数変換及び復調し、それによって得られたディジタル音声信号を通話部１４ｃへ、制御信号を制御部１１へ、そして、コンテンツ及びコンテンツに関する情報をコンテンツ受信部１８へ送る。更には、通話部１４ｃから出力されるディジタル音声信号、制御部１１から出力される制御信号を変調、周波数変換及び増幅し、高周波信号を得て、それを通信部１２ｂに送る。
【００５０】
通話部１４ｃは、送受信部１３から出力されるディジタル音声信号をアナログ音声信号に変換し、それを増幅して受話用スピーカ１４ａに送る。また、マイクロフォン１４ｂから出力されるアナログ音声信号を増幅し、それをディジタル音声信号に変換して送受信部１３に送信する。
【００５１】
表示部１５は、例えば、バックライト付きのＬＣＤ（Liquid Crystal Display）であり、制御部１１に制御されることで、バックライトを点灯し、文字・数字や画像データの表示動作を行い、表示されているデータは、入力装置１６からの入力操作や着信信号に応答して制御部１１からの指示を受けることで切換わる。
【００５２】
入力装置１６は、通信相手の電話番号の指定に用いられる文字キーや数字キーと、複数の機能キーを含むキーからなる。そして、入力装置１６のキーが入力操作されると、そのキー入力を受け付けて、そのキーの識別子が制御部１１に通知され、制御部１１及び制御部１１を経由してその識別子を受信した処理部によって、表示部１５に文字として表示され、または、動作が行われる。
【００５３】
コネクタ部１７は、例えばパソコンとの間をＵＳＢ規格に基づいて電気的に接続するケーブルを接続するコネクタである。または、パソコンとの間をインターネット規格に基づいて電気的に接続するケーブルを接続するコネクタである。または、パソコンとの間をインターネット規格に基づいて無線ＬＡＮ方式で接続する接続部であるとしても良い。
【００５４】
コンテンツ受信部１８は、入力装置１６の所定のキー操作に従って、または、装置の各部からの指示に従って、コンテンツ及びそのコンテンツに関する情報を受信して、その受信されたコンテンツ及びそのコンテンツに関する情報をコンテンツ情報２１ａとしてコンテンツ情報記憶部２１に記憶させる。ここで、コンテンツに関する情報は、コンテンツとは独立して受信しても良く、また、その情報が多重化されたコンテンツを受信して、分離しても良い。また、同時に複数のコンテンツを受信しても良い。また、同時に、以下の複数の方法によって受信しても良い。
【００５５】
コンテンツ及びそのコンテンツに関する情報は、種々の方法によって受信される。例をあげると、コンテンツ受信部１８は、送受信部１３を介して、または、コネクタ部１７を介してコンテンツサーバ装置とインターネット方式により、例えばＨＴＴＰ、ＲＴＰ、ＦＬＵＴＥなどのプロトコルに従って通信する。そして、コンテンツサーバ装置から送信された情報を受信することによる。なお、通信プロトコルは、上記に限るものではない。
【００５６】
コンテンツサーバ装置は、コンテンツ受信部１８からのコンテンツ送信要求に対応して、送信要求されたコンテンツを送信するが、これに限るものではない。コンテンツ受信部１８からの包括的な送信要求に応じて、複数のコンテンツを送信しても良い。また、コンテンツ情報２１ａの一部を送信しても良い。
【００５７】
また、他の例は、コンテンツ受信部１８は、放送局から放送された情報を受信することによる。ここで、放送は、地上波放送であっても良く、また、衛星放送であっても良い。コンテンツ受信部１８は、放送局から送信されたコンテンツのみならず、コンテンツ情報２１ａの一部を受信しても良い。また、電子番組表を受信することにより、コンテンツ受信部１８は、１つの放送局から送信された電波を受信することによって、複数の放送局で放送されるコンテンツに関するコンテンツ情報２１ａの少なくとも一部を受信する。また、コンテンツ受信部１８は、複数の放送局から送信された電波を受信するとしても良い。
【００５８】
また、他の例は、コンテンツ受信部１８は、コネクタ部１７を介して、パソコンからコンテンツ及びそのコンテンツに関するコンテンツ情報２１ａの一部を受信する。
【００５９】
更に、コンテンツ受信部１８は、コンテンツを送信した送信者、即ち、上記の例では、コンテンツサーバ装置、放送局またはパソコンに関する情報を送信者情報２２ａとして送信者情報記憶部２２に記憶させる。
【００６０】
また、コンテンツ受信部１８は、入力装置１６の所定のキー操作なしに、かつ、装置の各部からの指示なしにコンテンツに関する情報を受信して、そのコンテンツに関する情報をコンテンツ情報２１ａとしてコンテンツ情報記憶部２１に記憶させる。また、そのコンテンツに関する情報を送信した送信者に関する情報を送信者情報２２ａとして送信者情報記憶部２２に記憶させる。
【００６１】
この、操作及び指示なしに受信する動作の例をあげる。コンテンツ受信部１８は、入力装置１６の所定のキー操作によって指示されたチャンネル以外の放送を受信することである。また、試供の目的でコンテンツサーバ装置から送信された情報を受信することである。
【００６２】
コンテンツ優先度算出部３１は、コンテンツ情報記憶部２１に記憶されたコンテンツ情報２１ａと、送信者情報記憶部２２ａに記憶された送信者情報２２ａと、ユーザ情報記憶部２３に記憶されたユーザ情報２３ａと、端末装置情報記憶部２４に記憶された端末装置情報２４ａとの全部または一部を用いて、コンテンツ２１ｐ毎に優先度、即ち、そのコンテンツ２１ｐがユーザによって嗜好される度合いを算出する。
【００６３】
コンテンツ選択部３２は、コンテンツ優先度算出部３１によって高い優先度が算出された１つ、または複数のコンテンツ２１ｐに関するコンテンツ情報２１ａを選択して、選択されたコンテンツ情報２１ａを選択コンテンツ処理部３３に送る。この際、各コンテンツ２１ｐに対して算出された優先度を併せて送る。また、コンテンツ情報２１ａに含まれる、高い優先度が算出されたコンテンツ２１ｐを併せて送っても良く、送らなくとも良い。
【００６４】
選択コンテンツ処理部３３は、コンテンツ選択部３２によって高い優先度が算出されたコンテンツ２１ｐに対して所定の処理を行う。処理の一例を説明する。選択コンテンツ処理部３３は、コンテンツ選択部３２によって送られた複数のコンテンツ２１ｐに関するコンテンツ情報２１ａに含まれるコンテンツ２１ｐを識別する情報の一覧を表示部１５に表示させる。
【００６５】
図６は、選択コンテンツ処理部３３によって表示部１５に表示された優先度順コンテンツ一覧１５ａの一例を示す。優先度順コンテンツ一覧１５ａは、コンテンツ選択部３２によって送られた複数のコンテンツ名称２１ｃを、算出された優先度が高い順に表示したものである。
【００６６】
更に、図６に示すように、優先度が最高のコンテンツ名称２１ｃである「コンテンツ１」は、大きな文字で、太字で表示され、かつ、その名称の左の行頭には、「★」なる記号文字が表示されることによって、そのコンテンツ名称２１ｃが一際注目されるように表示されている。
【００６７】
また、優先度が２番目に高いコンテンツ２１ｐと、３番目に高いコンテンツ２１ｐについては、それらのコンテンツ名称２１ｃである「コンテンツ２」及び「コンテンツ３」の左の行頭には、「○」なる記号文字が表示され、注目されるように表示されている。
【００６８】
優先度が４番目に高いか、それ以下の優先度であるコンテンツ名称２１ｃである「コンテンツ４」、「コンテンツ５」及び「コンテンツ６」の左の行頭には、「・」なる記号文字が表示されている。
【００６９】
そして、選択コンテンツ処理部３３は、優先度順コンテンツ一覧１５ａの中から、入力装置１６の所定のキー操作、例えば、上向き矢印キーの操作と、下向き矢印キーの操作とによってカーソル位置をいずれかのコンテンツ名称２１ｃに置き、入力装置１６の所定のキー操作が行われると、カーソルが置かれたコンテンツ名称２１ｃで識別されるコンテンツ２１ｐをコンテンツ情報２１ａから検索して、再生する。
【００７０】
なお、図６に示す優先度順コンテンツ一覧１５ａが表示された際、カーソル位置は、優先度が最高のコンテンツ名称２１ｃに置かれる。そのため、優先度が最高のコンテンツ２１ｐの再生は、少ないキー操作で可能である。
【００７１】
そのコンテンツ２１ｐがコンテンツ情報２１ａから検索されない、即ち、記憶されていない場合、選択コンテンツ処理部３３は、そのコンテンツ２１ｐの送信をコンテンツ情報２１ａの送信者２１ｏに要求し、その要求に応じて送信されたコンテンツを受信して、コンテンツ情報２１ａに記憶させ、同時に再生する。ここで、この再生は、コンテンツの受信完了を待つことなく、受信された部分を順次再生する、ストリーミング再生であっても良い。
【００７２】
また、そのコンテンツ２１ｐがコンテンツ情報２１ａから検索されず、かつ、送信者２１ｏが放送局である場合、選択コンテンツ処理部３３は、コンテンツ受信部１８によって受信された電子番組表に従って、そのコンテンツ２１ｐをコンテンツ受信部１８に指示して受信させて、再生する。この処理によって、ユーザは、ある時に複数の放送局から放送されているコンテンツの中から、嗜好するコンテンツを視聴することができる。
【００７３】
なお、再生するコンテンツ２１ｐが入力装置１６の所定のキー操作によって決定される前に、選択コンテンツ処理部３３は、優先度が所定の順位より高いコンテンツ２１ｐを上述したように検索、または受信して、選択コンテンツ処理部３３内に記憶するとしても良い。この際、各コンテンツ２１ｐ毎に独立して記憶する。例えば、リングバッファ方式で記憶し、常に記憶する全てのコンテンツ２１ｐの再生開始が可能な状態に記憶する。
【００７４】
また、選択コンテンツ処理部３３の処理の別の例は、優先度が最高のコンテンツ２１ｐを再生する。そのコンテンツ２１ｐは、コンテンツ情報２１ａから検索される場合と、検索されない場合があるが、それぞれの場合の処理は、上述した通りである。
【００７５】
以下、本発明の移動通信端末装置の動作であって、コンテンツ優先度算出部３１によって行われるコンテンツ２１ｐがユーザの嗜好に合う度合いを算出する動作について説明する。
【００７６】
コンテンツ優先度算出部３１は、以下に説明する複数の手法の１つ、または複数の手法を組み合わせることによって、コンテンツ２１ｐに対して、優先度、即ち、そのコンテンツ２１ｐがユーザの嗜好に合う度合いを算出する。
【００７７】
まず、手法の１つは、予め与えられている関数によって算出するものである。図７は、予め与えられている関数によってコンテンツ優先度算出部３１が優先度を算出する動作のフローチャートを示す。
【００７８】
コンテンツ優先度算出部３１は、上記動作を開始し（ステップＳ３１ａ）、コンテンツ情報２１ａに記憶された各コンテンツ２１ｐ、即ち、記憶されているか否かに係らず、全てのコンテンツ２１ｐを対象に、後述する与えられた関数によって部分優先度を算出する（ステップＳ３１ｂ）。そして、全ての関数による部分優先度が算出されたか否かを調べる（ステップＳ３１ｃ）。算出されていない場合、ステップＳ３１ｂの部分優先度の算出がされていない関数によって部分優先度を算出する処理に戻る。
【００７９】
一方、全ての関数による部分優先度が算出された場合、コンテンツ優先度算出部３１は、部分優先度の総和を算出して上記コンテンツ２１ｐの優先度として（ステップＳ３１ｄ）、動作を終了する（ステップＳ３１ｅ）。なお、ステップＳ３１ｄで、優先度は、部分優先度の総和に限ることはなく、積によって算出されるとしても良い。また、関数の入力である情報が記憶されていない場合、その関数によって算出される部分優先度は、所定の値、例えば、０とする。
【００８０】
以下、与えられた関数によって算出される部分優先度について説明する。部分優先度の一例は、コンテンツ情報２１ａに含まれる任意の情報が所定の情報である場合、所定の値とするものである。
【００８１】
例えば、価格２１ｆが「０」である場合、部分優先度を１０とする。そして、価格２１ｆが「０」を超え、「１００」以下である場合、５とする。そして、価格２１ｆが「１００」を超え、「１０００」以下である場合、「０」とする。更に、価格２１ｆが「１０００」を超える場合、「−１００」とする。
【００８２】
このように、階段状の関数とすることに限るものではなく、価格２１ｆに所定の連続関数を適用して得られた値を部分優先度としても良い。ここで、価格２１ｆは、視聴の度に支払う金額であるとする。
【００８３】
また、別の例は、関連コンテンツ情報２１ｋに記憶された情報がコンテンツ名称２１ｃに記憶されているコンテンツ情報２１ａを検索し、検索された場合、検索されたコンテンツ２１ｐの部分優先度を１０とする。
【００８４】
部分優先度の別の例は、コンテンツ情報２１ａに含まれる任意の情報と、ユーザ情報２３ａの任意の情報とが所定の関係にある場合、所定の値とするものである。例えば、ユーザ情報２３ａの年齢２３ｂがコンテンツ情報２１ａの視聴ユーザ制限２１ｈを満たす場合、部分優先度は、０とする。一方、満たさない場合、部分優先度を、装置が扱える最小の数（負の数で、絶対値が最大の数。）とする。または、この部分優先度を除く部分優先度の如何を問わず、優先度は、装置が扱える最小の数としても良い。
【００８５】
また、例えば、ユーザ情報２３ａの性別２３ｃが「男」である場合、コンテンツ情報２１ａのジャンル２１ｇが「西部劇」である場合、部分優先度を５とする。ジャンル２１ｇがその他である場合、部分優先度を０とする。
【００８６】
また、例えば、ユーザ情報２３ａの課金情報２３ｆが所定の値以下である場合、上述のように、価格２１ｆから部分優先度を算出する。一方、課金情報２３ｆが所定の値を超える場合、上述のように価格２１ｆから算出された部分優先度を２で除した商を部分優先度とする。同様に、ユーザ情報２３ａの契約情報２３ｅが限られた機能のみを使用する、低額な契約である場合、上述のように価格２１ｆから算出された部分優先度を２で除した商を部分優先度とする。この算出によれば、更なる支払い額を小額にすべき時、価格２１ｆが大きいコンテンツ２１ｐの優先度を下げることができる。
【００８７】
また、例えば、ユーザ情報２３ａの興味分野２３ｇとコンテンツ情報２１ａのジャンル２１ｇとが一致する場合、部分優先度を１０とする。一方、一致しない場合、部分優先度を−１０とする。
【００８８】
また、例えば、コンテンツ情報２１ａのコンテンツ名称２１ｃがユーザ情報２３ａの類似ユーザの視聴コンテンツ２３ｈに含まれている場合、部分優先度を５とする。一方、一致しない場合、部分優先度を０とする。
【００８９】
部分優先度の別の例は、コンテンツ情報２１ａに含まれる任意の情報と、端末装置情報２４ａの任意の情報とが所定の関係にある場合、所定の値とするものである。例えば、コンテンツ情報２１ａのデータサイズ２１ｊが所定の値以上であり、かつ、端末装置情報２４ａの処理速度２４ｃと、主記憶容量２４ｄと、外部記憶容量２４ｅとのいずれかがそれぞれに定められた所定の値以下である場合、部分優先度を−１００とする。コンテンツ２１ｐの正常な再生が行われない恐れがあるからである。
【００９０】
また、例えば、コンテンツ情報２１ａの解像度２１ｍと、端末装置情報２４ａの画面解像度２４ｆとが同一である場合、部分優先度を１０とする。解像度２１ｍが画面解像度２４ｆより高い場合、部分優先度を−５とする。コンテンツ２１ｐの映像が充分に精細に再生されないからである。一方、解像度２１ｍが画面解像度２４ｆより低い場合、部分優先度を０とする。装置の表示部１５の画面を使い尽くしていないものの、コンテンツ２１ｐは充分に精細に再生されるからである。
【００９１】
また、例えば、コンテンツ情報２１ａのフォーマット２１ｎが端末装置情報２４ａの対応フォーマット２４ｇに含まれている場合、部分優先度を０とする。含まれていない場合、部分優先度を装置が扱える最小の数とする。コンテンツ２１ｐを再生することができないからである。
【００９２】
また、端末装置情報２４ａには、更に通信部１２ｂ及び送受信部１３によって単位時間に受信可能なビット数が記憶されるとし、そのビット数がコンテンツ情報２１ａのデータサイズ２１ｊを視聴時間２１ｉで除すことによって得られる単位時間あたりのビット数より少なく、かつ、送信者２１ｏが「コンテンツサーバ装置」であり、かつ、コンテンツ２１ｐが記憶されていない場合、部分優先度を−１０００とする。そのコンテンツ２１ｐを全て受信した後での再生には支障がないものの、ストリーミング再生には支障があると考えられるためである。
【００９３】
部分優先度の別の例は、コンテンツ情報２１ａに含まれる任意の情報と、ユーザ情報２３ａの任意の情報と、送信者情報２２ａの任意の情報とが所定の関係にある場合、所定の値とするものである。
【００９４】
例えば、コンテンツ情報２１ａのコンテンツ名称２１ｃがユーザ情報２３ａの類似ユーザの視聴コンテンツ２３ｈに含まれており、かつ、そのコンテンツ名称２１ｃに関連付けられたコンテンツ２１ｐが記憶されておらず、更に、そのコンテンツ名称２１ｃに関連付けられた送信者２１ｏがパソコンを識別する名称であり、そのパソコンを識別する名称が送信者２２ｃである送信者情報２２ａの所持するコンテンツ２２ｆに上記コンテンツ名称２１ｃが含まれている場合、部分優先度を０とする。一方、含まれていない場合、部分優先度を−１００とする。
【００９５】
上記含まれている場合、容易にコンテンツ名称２１ｃで識別されるコンテンツ２１ｐの受信が可能であり、一方、含まれていない場合、そのコンテンツ２１ｐのそのパソコンからの受信が不可能だからである。
【００９６】
部分優先度の別の例は、コンテンツ情報２１ａに含まれる任意の情報と、端末装置情報２４ａの任意の情報と、送信者情報２２ａの任意の情報とが所定の関係にある場合、所定の値とするものである。
【００９７】
例えば、あるコンテンツ２１ｐが記憶されておらず、そのコンテンツ２１ｐに関連付けられた送信者２１ｏは放送局、例えば「Ａ放送局」である場合、端末装置情報２４ａの対応ネットワーク２４ｈに「テレビチューナ」が含まれており、かつ、「Ａ放送局」なる送信者情報２２ａの送信者２２ｃに関連付けられた位置２２ｅに装置が位置する場合、部分優先度を０とする。
【００９８】
一方、対応ネットワーク２４ｈに「テレビチューナ」が含まれておらず、または、位置２２ｅに装置が位置しない場合、部分優先度を−１００とする。既に述べた通り、対応ネットワーク２４ｈに「テレビチューナ」が含まれておらず、コンテンツ受信部１８は、テレビ放送を受信することができない場合であっても、電子番組表がインターネットを介して受信されることがあり、この場合、テレビ放送されるコンテンツ２１ｐに低い優先度を与えることが好ましいからである。
【００９９】
ここで、装置が位置する場所は、装置がＧＰＳ測位部（図示せず）を有し、ＧＰＳ測位部によって判定されるが、これに限るものではない。ユーザ情報２３ａの住所２３ｄに位置するとしても良い。
【０１００】
また、上記放送されるコンテンツ２１ｐの受信にあたり、放送される日時は、上記放送局から番組予定表が事前に放送され、その番組表を受信したコンテンツ受信部１８によってコンテンツ情報２１ａに放送予定（図示せず）として記憶されているとする。また、その放送を受信するためのチャンネルは、送信元ＩＰアドレス２２ｄによって示されている。
【０１０１】
なお、機種名２４ｂと、製造年月２４ｉとは、例えば、対応ネットワーク２４ｈが記憶されていない場合、対応ネットワーク２４ｈを予想するために使用されるが、これに限るものではない。処理速度２４ｃ、主記憶容量２４ｄ、外部記憶容量２４ｅ、画面解像度２４ｆ及び対応フォーマット２４ｇの一部または全部が記憶されていない場合、記憶されていない情報を予想するために使用されても良い。
【０１０２】
上記の部分優先度は、説明のために仮に示した値であり、これに限るものではないことは言うまでもない。そして、部分優先度を事前に適切に定めることが必要であるものの、それによって、ユーザの嗜好にあったコンテンツ２１ｐの優先度を適切に算出することができる。予想に反した優先度が算出されることは少ない。また、装置の仕様に依存して、再生が不可能、または困難なコンテンツ２１ｐの優先度を低くすることができる。
【０１０３】
また、別の手法は、統計的判別手法によって算出するものである。この手法は、既にユーザによって視聴されたコンテンツ２１ｐと類似のコンテンツ２１ｐに高い優先度が算出されるものである。図８は、統計的判別手法によってコンテンツ優先度算出部３１が優先度を算出する動作のフローチャートを示す。
【０１０４】
コンテンツ優先度算出部３１は、上記動作を開始し（ステップＳ３１ｇ）、「済」なるコンテンツ情報２１ａの視聴２１ｑに関連付けられた、コンテンツ名称２１ｃと、製作者２１ｄと、権利情報２１ｅと、価格２１ｆと、ジャンル２１ｇと、視聴ユーザ制限２１ｈと、視聴時間２１ｉと、データサイズ２１ｊと、関連コンテンツ情報２１ｋと、解像度２１ｍと、フォーマット２１ｎと、送信者２１ｏとのそれぞれに対して、統計量を算出する（ステップＳ３１ｈ）。
【０１０５】
即ち、コンテンツ優先度算出部３１は、視聴時間２１ｉのような数値情報については、その数値の平均値と標準偏差を求める。一方、ジャンル２１ｇのような離散情報については、それぞれの値に対して出現回数を求める。
【０１０６】
次に、コンテンツ優先度算出部３１は、コンテンツ情報２１ａに記憶された全ての関連付けられた情報毎にステップＳ３１ｈで算出された統計量を参照して、部分優先度を算出する（ステップＳ３１ｉ）。
【０１０７】
部分優先度の算出にあたり、コンテンツ優先度算出部３１は、関連付けられた情報の中で、数値情報については、上記平均値に近い程、高い部分優先度を与える。ここで、近さは、関連付けられた情報の値と上記平均値との差を上記標準偏差で除した商によって評価する。
【０１０８】
一方、離散情報については、その情報の出現回数が大きい値程、高い部分優先度を与える。なお、ある部分優先度の算出にあたり、その算出に必要な情報が記憶されていない場合、その関数によって算出される部分優先度は、所定の値、例えば、１とする。
【０１０９】
そして、コンテンツ優先度算出部３１は、全ての関連する情報に対して部分優先度が算出されたか否かを調べ（ステップＳ３１ｊ）、算出されていない場合、ステップＳ３１ｉの部分優先度が算出されていない関連する情報によって部分優先度を算出する処理に戻る。
【０１１０】
一方、全ての関連する情報に対して部分優先度が算出された場合、コンテンツ優先度算出部３１は、全ての部分優先度に所定の重みを付した総和を算出して、コンテンツ２１ｐの優先度とし（ステップＳ３１ｋ）、動作を終了する（ステップＳ３１ｍ）。
【０１１１】
ここで、全てのコンテンツ情報２１ａに記憶された全ての関連付けられた情報毎に、ステップＳ３１ｉ〜ステップＳ３１ｋの優先度を算出する処理を行うとしたが、これに限るものではない。即ち、視聴２１ｑが「済」である、即ち、ユーザが視聴したもののみに対して優先度を算出しても良い。この算出法によれば、ユーザは、過去に視聴して、嗜好に合ったものを再度視聴することができる。
【０１１２】
一方、視聴２１ｑが「未」である、即ち、ユーザが視聴していないもののみに対して優先度を算出しても良い。この算出法によれば、ユーザは、過去に視聴していないものの、嗜好に合うと考えられるものを試みに視聴することができる。
【０１１３】
また、コンテンツ情報２１ａのコンテンツ２１ｐに関連付けて、そのコンテンツ２１ｐが記憶されているか否かに係らず、そのコンテンツ２１ｐがユーザの嗜好に合うか否かの情報が記憶されている場合、ユーザの嗜好に合うコンテンツ２１ｐに関連付けられた情報を用いてステップＳ３１ｈの統計量を算出する処理を行っても良い。
【０１１４】
この処理によれば、ユーザは、コンテンツ２１ｐが嗜好に合うか否かの情報を、例えば、入力装置１６の所定のキー操作によって入力する必要があるものの、ステップＳ３１ｋで算出された優先度は、ユーザの嗜好に合うか否かをより正確に示す。
【０１１５】
上記説明した、統計的判別手法によってコンテンツ優先度算出部３１が優先度を算出する処理によれば、ユーザは、嗜好に合うコンテンツの視聴を続けることにより、適切な優先度が算出される。事前にユーザが優先度に関する設定を行う必要はない。
【０１１６】
また、別の手法は、人工知能的手法によって算出するものである。ここで、人工知能的手法とは、遺伝的アルゴリズムによるニューラルネット手法を指す。図９は、遺伝的アルゴリズムによるニューラルネット手法によってコンテンツ優先度算出部３１が優先度を算出する動作のフローチャートを示す。
【０１１７】
コンテンツ優先度算出部３１は、上記動作を開始し（ステップＳ３１ｏ）、所定の定式化に従ってコンテンツ情報２１ａの関連付けられた情報、即ち、コンテンツ２１ｐの優先度を算出するために必要なパラメータを、乱数に基づいて複数組作成する（ステップＳ３１ｐ）。以後、１組のパラメータを個体と称する。
【０１１８】
ここで、上記定式化の一例は、コンテンツ２１ｐの優先度を、コンテンツ２１ｐに対して関連付けられたコンテンツ名称２１ｃと、製作者２１ｄと、権利情報２１ｅと、価格２１ｆと、ジャンル２１ｇと、視聴ユーザ制限２１ｈと、視聴時間２１ｉと、データサイズ２１ｊと、関連コンテンツ情報２１ｋと、解像度２１ｍと、フォーマット２１ｎと、送信者２１ｏのそれぞれに対して算出された部分優先度の総和として算出する。
【０１１９】
ここで、併せて個体の良さの評価値が定義されている。個体の良さの一例は、その個体によって、コンテンツ２１ｐの優先度を算出し、そのコンテンツ２１ｐに関連付けられた視聴２１ｑが「済」である場合、算出された優先度が所定の値より大きいものが所定の数より多く、そのコンテンツ２１ｐに関連付けられた視聴２１ｑが「未」である場合、算出された優先度が上記所定の値より小さいものが所定の数より多いと最高となる。そして、上記でないコンテンツ２１ｐが多い程、良さは小さいように定められている。
【０１２０】
上記定式化の詳細な一例を示す。即ち、コンテンツ優先度算出部３１は、関連付けられた情報の中の数値情報については、部分優先度を
Ａ×（関連付けられた情報と、Ｂとの差）
と定式化する。ここで、Ａ及びＢは、関連付けられた情報のそれぞれに対して、定めるパラメータである。
【０１２１】
一方、関連付けられた情報の中の離散情報については、コンテンツ優先度算出部３１は、部分優先度を
Ｃｉ（関連付けられた情報が第ｉの情報である場合）
と定式化する。ここで、Cｉは、関連付けられた情報のそれぞれに対して、後述するように定めるパラメータである。また、第ｉの情報は、その関連付けられた情報のそれぞれを示す。
【０１２２】
この定式化を、具体例をあげて説明する。例えば、関連付けられた情報が送信者２１ｏである場合、上記定式化は、
５（送信者２１ｏが、「Ａ放送局」である場合）
３（送信者２１ｏが、「Ｂ放送局」である場合）
・
・
・
３（送信者２１ｏが、パソコンを識別する名称である場合）
１（送信者２１ｏが、「コンテンツサーバ装置」である場合）
のようになる。
【０１２３】
上記説明した、関連付けられた情報の中の数値情報のそれぞれに対して定めるパラメータＡ及びＢ、並びに関連付けられた情報の中の離散情報のそれぞれに対して定めるパラメータＣｉの１組が個体である。
【０１２４】
次に、コンテンツ優先度算出部３１は、個体に対して、交叉、突然変異または淘汰を行い、次の世代の個体を作成する（ステップＳ３１ｑ）。ここで、交叉とは、２つの個体に含まれるパラメータの一部を入れ換えることを示す。突然変異とは、１つの個体に含まれるパラメータの一部を乱数によって作成された値に入れ換えることを示す。淘汰とは、上記良さの高い個体は、そのまま残すことを示す。
【０１２５】
コンテンツ優先度算出部３１は、所定の世代目の個体が作成されたか否かを調べ（ステップＳ３１ｒ）、作成されていない場合、ステップＳ３１ｑの次の世代の個体を作成する動作に戻る。
【０１２６】
一方、所定の世代数の個体が作成された場合、コンテンツ優先度算出部３１は、現世代、即ち、上記所定の世代目の世代の個体の中で、最も良い個体を選択し（ステップＳ３１ｓ）、その選択された個体、即ち、パラメータを用いてステップＳ３１ｐの動作で説明した定式化によって、コンテンツ２１ｐの優先度を算出して（ステップＳ３１ｔ）、動作を終了する（ステップＳ３１ｕ）。
【０１２７】
なお、コンテンツ情報２１ａのコンテンツ２１ｐに関連付けて、そのコンテンツ２１ｐがユーザの嗜好に合うか否かの情報が記憶されている場合、個体の良さを以下のように定義されているとしても良い。
【０１２８】
即ち、ユーザの嗜好に合うコンテンツ２１ｐの優先度をその個体によって算出して、算出された優先度が所定の値以上であり、ユーザの嗜好に合わないコンテンツ２１ｐの優先度をその個体によって算出して、算出された優先度が上記所定の値未満である場合、その個体の良さは最高である。上記でないコンテンツ２１ｐが多い程、良さは小さいように定められているとする。
【０１２９】
この処理によれば、ユーザは、コンテンツ２１ｐが嗜好に合うか否かの情報を、例えば、入力装置１６の所定のキー操作によって入力する必要があるものの、ステップＳ３１ｔで算出された優先度は、ユーザの嗜好に合うか否かをより正確に示す。
【０１３０】
上記説明した、遺伝的アルゴリズムによるニューラルネット手法によってコンテンツ優先度算出部３１が優先度を算出する処理によれば、ユーザは、嗜好に合うコンテンツの視聴を続けることにより、適切な優先度が算出される。また、コンテンツ情報２１ａ中の情報と優先度との関係が複雑な場合であっても、ユーザの操作なしで、その関係に沿った優先度が算出される。
【０１３１】
以上の説明は、ユーザ情報２３ａには、１人のユーザに係る情報が記憶されるとしたが、これに限るものではない。複数のユーザに係る情報が記憶されるとしても良い。この場合、ユーザ情報２３ａは、複数の関連付けられた情報からなる。
【０１３２】
更に、複数のユーザに対応して、複数の視聴２１ｑがコンテンツ情報２１ａに含まれて記憶される。そして、複数の関連付けられた情報を確実に一意に識別するため、ユーザ情報２３ａには、上記の説明した情報に加えて、ユーザ識別子及び／またはユーザの名前が含まれるとしても良い。
【０１３３】
また、複数のユーザが通信事業者との間で取り交わした契約が１つである場合、契約情報２３ｅは、全てのユーザに対して同じ情報である。複数のユーザが通信事業者に支払うべき金額が一括して算出される場合、課金情報２３ｆは、全てのユーザに対して同じ情報である。
【０１３４】
以上の説明では、コンテンツ受信部１８は、コンテンツサーバ装置から送信された情報を受信することによって、放送局から放送された情報を受信することによって、及びコネクタ部１７を介して、パソコンから情報を受信することによって、コンテンツ情報２１ａの一部または全部を受信するとしたが、受信の手段は、上記に限るものではない。
【０１３５】
例えば、任意の通信方式によって通信する近距離無線通信、例えば、無線タグによる通信、赤外線による通信、更に、ブルートゥース（登録商標。Bluetooth）方式による通信によっても良い。
【０１３６】
以上の説明では、コンテンツ情報２１ａ、送信者情報２２ａ、ユーザ情報２３ａ及び端末装置情報２４ａは、いずれも装置内に記憶されるとしたが、これに限るものではない。任意のサーバ装置（図示せず）、例えば、コンテンツサーバ装置に記憶され、装置の各部が必要とする際にダウンロードし、追加記憶し、また、更新記憶するとしても良い。本発明は以上の構成に限定されるものではなく、種々の変形が可能である。
【図面の簡単な説明】
【０１３７】
【図１】本発明の実施形態に係る移動通信端末装置の構成を示すブロック図。
【図２】本発明の実施形態に係るコンテンツ情報の構成の一例を示す図。
【図３】本発明の実施形態に係る送信者情報の構成の一例を示す図。
【図４】本発明の実施形態に係るユーザ情報の構成の一例を示す図。
【図５】本発明の実施形態に係る端末装置情報の構成の一例を示す図。
【図６】本発明の実施形態に係る表示部に表示された優先度順コンテンツ一覧の一例を示す図。
【図７】本発明の実施形態に係るコンテンツ優先度算出部による優先度算出動作のフローチャート（その１、予め与えられている関数による算出）。
【図８】本発明の実施形態に係るコンテンツ優先度算出部による優先度算出動作のフローチャート（その２、統計的判別手法による算出）。
【図９】本発明の実施形態に係るコンテンツ優先度算出部による優先度算出動作のフローチャート（その３、遺伝的アルゴリズムによる算出）。
【符号の説明】
【０１３８】
１５  表示部
１５ａ  優先度順コンテンツ一覧
１６  入力装置
１７  コネクタ部
１８  コンテンツ受信部
２１  コンテンツ情報記憶部
２１ａ  コンテンツ情報
２１ｂ  コンテンツ識別子
２１ｃ  コンテンツ名称
２１ｄ  製作者
２１ｅ  権利情報
２１ｆ  価格
２１ｇ  ジャンル
２１ｈ  視聴ユーザ制限
２１ｉ  視聴時間
２１ｊ  データサイズ
２１ｋ  関連コンテンツ情報
２１ｍ  解像度
２１ｎ  フォーマット
２１ｏ  送信者
２１ｐ  コンテンツ
２１ｑ  視聴
２２  送信者情報記憶部
２２ａ  送信者情報
２２ｂ  送信者識別子
２２ｃ  送信者
２２ｄ  送信元ＩＰアドレス
２２ｅ  位置
２２ｆ  所持するコンテンツ
２３  ユーザ情報記憶部
２３ａ  ユーザ情報
２３ｂ  年齢
２３ｃ  性別
２３ｄ  住所
２３ｅ  契約情報
２３ｆ  課金情報
２３ｇ  興味分野
２３ｈ  類似ユーザの視聴コンテンツ
２４  端末装置情報記憶部
２４ａ  端末装置情報
２４ｂ  機種名
２４ｃ  処理速度
２４ｄ  主記憶容量
２４ｅ  外部記憶容量
２４ｆ  画面解像度
２４ｇ  対応フォーマット
２４ｈ  対応ネットワーク
２４ｉ  製造年月
３１  コンテンツ優先度算出部
３２  コンテンツ選択部
３３  選択コンテンツ処理部
【図１】
2008124834.tif 000003
【図２】
2008124834.tif 000004
【図３】
2008124834.tif 000005
【図４】
2008124834.tif 000006
【図５】
2008124834.tif 000007
【図６】
2008124834.tif 000008
【図７】
2008124834.tif 000009
【図８】
2008124834.tif 000010
【図９】
2008124834.tif 000011